(57)【要約】【課題】復号側で符号化装置への映像入力信号の切り替え時期を検出させるようにする。【解決手段】本発明の復号装置は、符号化装置が符号化した符号化映像信号を復号する復号装置において、復号クロック信号を生成する復号クロック信号生成手段と、符号化映像信号に含まれている単位時間当たりの増分が一定の復号タイミング情報を取り込み、復号クロック信号のカウントを開始し、復号クロック信号のカウント値と復号タイミング情報とに基づいて、符号化クロック信号に同期するように制御する同期同調手段と、復号タイミング情報の差分と復号クロック信号のカウント値の差分とから求めた符号化映像信号の周波数変化に基づいて、符号化装置に入力した映像信号に基づく映像の切り替わりを検出する映像切替検出手段とを備えることを特徴とする。【選択図】      図１
2006128823.tif 000002
【特許請求の範囲】
【請求項１】
入力した映像信号を符号化し、復号側での復号タイミングを示す復号タイミング情報を付与した符号化映像信号を送出する符号化装置において、
上記映像信号に含まれる同期信号に基づいて符号化クロック信号を生成する符号化クロック信号生成手段と、
上記符号化クロック信号をカウントし、単位時間当たりの増分が一定となるカウント値を出力するカウンタ手段と、
上記カウンタ手段が出力したカウント値を上記復号タイミング情報として上記符号化映像信号に付与する復号タイミング情報付与手段と
を備えることを特徴とする符号化装置。
【請求項２】
上記復号タイミング情報に基づいて上記符号化映像信号を構成する各フレーム間隔毎に付与する時間基準情報を生成し、その時間基準情報を上記符号化映像信号の各フレームに付与する時間基準情報付与手段を備えることを特徴とする請求項１に記載の符号化装置。
【請求項３】
符号化装置が符号化した符号化映像信号を復号する復号装置において、
復号クロック信号を生成する復号クロック信号生成手段と、
上記符号化映像信号に含まれている単位時間当たりの増分が一定の復号タイミング情報を取り込み、上記復号クロック信号のカウントを開始し、上記復号クロック信号のカウント値と上記復号タイミング情報とに基づいて、符号化クロック信号に同期するように制御する同期同調手段と、
上記復号タイミング情報の差分と上記復号クロック信号のカウント値の差分とから求めた上記符号化映像信号の周波数変化に基づいて、上記符号化装置に入力した映像信号に基づく映像の切り替わりを検出する映像切替検出手段と
を備えることを特徴とする復号装置。
【請求項４】
符号化装置が符号化した符号化映像信号を復号する復号装置において、
上記符号化映像信号を構成する各フレーム間隔毎に一定に増加する時間基準情報を抽出する時間基準情報抽出手段と、
上記時間基準情報抽出手段が抽出した上記時間基準情報を受け取り、前後する時間基準情報の差分から求めた上記符号化映像信号の位相差変化に基づいて、上記符号化装置に入力した映像信号に基づく映像の切り替わりを検出する映像切替検出手段と
を備えることを特徴とする請求項３に記載の復号装置。
【請求項５】
入力した映像信号を符号化して符号化映像信号を送出する符号化装置と、上記符号化装置から与えられた上記符号化映像信号を復号する復号装置とを備える映像伝送システムにおいて、
上記符号化装置が、請求項１又は２に記載の符号化装置に対応し、上記復号装置が、請求項３又は４に記載の復号装置に対応することを特徴とする映像伝送システム。
【発明の詳細な説明】
【技術分野】
【０００１】
本発明は、符号化装置、復号装置及び映像伝送システムに関し、例えば、少なくとも映像を伝送するシステムにおける復号装置及び符号化装置に適用し得る。
【背景技術】
【０００２】
一般的な従来の映像符号化装置又は映像復号装置における基本的な処理は、例えば特許文献１に開示されている。以下では、映像符号化装置及び映像復号装置における基本動作について説明する。
【０００３】
従来、符号化装置（映像送信側）は、入力された映像信号から抽出した同期信号に同期したシステムクロック（以下、ＥＮＣ＿ＣＬＫ）を生成し、このＥＮＣ＿ＣＬＫに基づいて符号化処理を行なう。また、符号化装置は、ＥＮＣ＿ＣＬＫをカウントするカウンタ（以下、ＥＮＣ＿ＳＴＣカウンタ：システムタイムクロックカウンタ）を具備する。
【０００４】
一方、復号装置(映像受信側)は、ＥＮＣ＿ＣＬＫに同期したシステムクロック（以下、ＤＥＣ＿ＣＬＫ）及びこれをカウントするカウンタ（以下、ＤＥＣ＿ＳＴＣカウンタ）を具備する。
【０００５】
符号化装置は、復号装置がＤＥＣ＿ＣＬＫ及びＤＥＣ＿ＳＴＣを再生するための情報（以下、ＰＣＲ：プログラムクロックリファレンス）を、復号装置に送る。そして、復号装置は、符号化装置からのＰＣＲをＤＥＣ＿ＳＴＣに取り込み（ロード）、またＰＣＲとＤＥＣ＿ＳＴＣとを比較しその差に基づいて周波数を制御し、ＤＥＣ＿ＣＬＫ（＝ＥＮＣ＿ＣＬＫ）を再生する。
【０００６】
符号化装置は、符号化後のデータの１フレーム（符号化の１単位）毎にタイムスタンプ（以下、ＰＴＳ：プレゼンテーションタイムスタンプ）を付与する。ＰＴＳは、ＥＮＣ＿ＳＴＣを元に計算され毎回１フレーム時間増加する値であり、復号装置が該当するフレームを復号処理するタイミングを示すものである。そして、復号装置は、１フレーム毎にＰＴＳとＤＥＣ＿ＳＴＣとを比較し、符号化装置により指定されたタイミング（ＰＴＳ）にて復号処理を実施する。
【０００７】
以上のようにして、復号装置は、システムクロックの再生及び復号処理のタイミングを取得して復号処理を実行している。
【０００８】
【特許文献１】特開平０８−２４２４４４号公報
【発明の開示】
【発明が解決しようとする課題】
【０００９】
上述したように、復号装置は、ＤＥＣ＿ＣＬＫ、ＤＥＣ＿ＳＴＣ及びＰＴＳを基本にして復号処理を実行するが、符号化装置に入力する映像入力信号の切り替えを検出することができない。
【００１０】
そのため、符号化装置に入力される映像入力信号の切り替え時期を検出することができる復号装置が求められている。また、復号装置側で映像入力信号の切り替え時期を検出できるようにする符号化装置が求められている。また、これら符号化装置及び復号装置を備える映像伝送システムが求められている。
【課題を解決するための手段】
【００１１】
かかる課題を解決するために、第１の本発明の符号化装置は、入力した映像信号を符号化し、復号側での復号タイミングを示す復号タイミング情報を付与した符号化映像信号を送出する符号化装置において、映像信号に含まれる同期信号に基づいて符号化クロック信号を生成する符号化クロック信号生成手段と、符号化クロック信号をカウントし、単位時間当たりの増分が一定となるカウント値を出力するカウンタ手段と、カウンタ手段が出力したカウント値を復号タイミング情報として符号化映像信号に付与する復号タイミング情報付与手段とを備えることを特徴とする。
【００１２】
第２の本発明の復号装置は、符号化装置が符号化した符号化映像信号を復号する復号装置において、復号クロック信号を生成する復号クロック信号生成手段と、符号化映像信号に含まれている単位時間当たりの増分が一定の復号タイミング情報を取り込み、復号クロック信号のカウントを開始し、復号クロック信号のカウント値と復号タイミング情報とに基づいて、符号化クロック信号に同期するように制御する同期同調手段と、復号タイミング情報の差分と復号クロック信号のカウント値の差分とから求めた符号化映像信号の周波数変化に基づいて、符号化装置に入力した映像信号に基づく映像の切り替わりを検出する映像切替検出手段とを備えることを特徴とする。
【００１３】
第３の本発明の映像伝送システムは、入力した映像信号を符号化して符号化映像信号を送出する符号化装置と、符号化装置から与えられた符号化映像信号を復号する復号装置とを備える映像伝送システムにおいて、符号化装置が、第１の本発明の符号化装置に対応し、復号装置が、第２の本発明の復号装置に対応することを特徴とする。
【発明の効果】
【００１４】
本発明の符号化装置、復号装置及び映像伝送システムによれば、復号側で、符号化装置に入力される映像入力信号の切り替え時期を検出させることができる。
【発明を実施するための最良の形態】
【００１５】
（Ａ）第１の実施形態
以下、本発明の符号化装置、復号装置及び映像伝送システムの第１の実施形態について図面を参照して説明する。
【００１６】
（Ａ−１）第１の実施形態の構成
図１は、本実施形態に係る符号化装置の内部構成を示すブロック図である。また、図２は、本実施形態に係る復号装置の内部構成を示すブロック図である。
【００１７】
図１において、本実施形態に係る符号化装置１０Ａは、符号化部１１、同期信号抽出部１２、ＰＬＬ１３、発振器１４、ＥＮＣ＿ＳＴＣカウンタ１５、内部同期信号生成部１６を少なくとも備える。
【００１８】
また、図２において、本実施形態の復号装置２０Ａは、復号部２１、ＰＣＲ抽出部２２、ＤＥＣ＿ＳＴＣカウンタ２３、ＰＬＬ２４、発振器２５、周波数偏差判定部２６を少なくとも備える。
【００１９】
符号化部１１は、映像入力信号を取り込み、同期信号抽出部１２により抽出された同期信号に基づいて１フレーム毎に符号化処理を行ない、符号化された映像信号（符号化データ）を出力するものである。ここで、符号化データは、各フレーム毎にＰＴＳが付与されている。このＰＴＳは、符号化部１１により同期信号で保持したＥＮＣ＿ＳＴＣを元にして算出されるものであり、フレーム周期ごとに一定に増加する値である。また、符号化部１１は、ＥＮＣ＿ＳＴＣカウンタ１５からＥＮＣ＿ＳＴＣを一定周期毎に受け取り、そのＥＮＣ＿ＳＴＣに基づいてＰＣＲを算出し、その算出したＰＣＲを一定周期で出力するものである。ここで、ＰＣＲは、単位時間当たりの増分が一定である値（カウント値）である。
【００２０】
同期信号抽出部１２は、映像入力信号を受け取り、その映像入力信号に含まれている同期信号を抽出するものである。また、同期信号抽出部１２は、抽出した同期信号を符号化部１１及びＰＬＬ１３に与えるものである。
【００２１】
ＰＬＬ１３は、同期信号抽出部１２から同期信号を受け取り、また内部同期信号生成部１６から内部同期信号を受け取り、映像入力信号の同期信号と内部同期信号との位相比較を行ない、その位相比較結果に基づいてＥＮＣ＿ＣＬＫの周波数を制御するものである。
【００２２】
発振器１４は、ＰＬＬ１３の周波数制御により、周波数位相を調整したＥＮＣ＿ＣＬＫを符号化部１１、ＥＮＣ＿ＳＴＣカウンタ１５及び内部同期信号生成部１６に発振するものである。
【００２３】
内部同期信号生成部１６は、発振器１４からＥＮＣ＿ＣＬＫを受け取り、ＥＮＣ＿ＣＬＫに基づいて内部同期信号を生成するものである。また、内部同期信号生成部１６は、生成した内部同期信号をＰＬＬ１３に与えるものである。
【００２４】
ＥＮＣ＿ＳＴＣカウンタ１５は、発振器１４からＥＮＣ＿ＣＬＫを受け取り、そのＥＮＣ＿ＣＬＫをカウントアップするカウンタである。そして、ＥＮＣ＿ＳＴＣ１５は、そのカウンタ値をＥＮＣ＿ＳＴＣとして符号化部１１に与えるものである。
【００２５】
次に、図２の復号装置２０Ａの内部構成について説明する。
【００２６】
復号部２１は、符号化データを受け取り、発振器２５からのＤＥＣ＿ＣＬＫを使用して復号処理を行ない、復号した映像信号を出力するものである。なお、復号部２１は、ＤＥＣ＿ＳＴＣカウンタ２３からＤＥＣ＿ＳＴＣを受け取り、そのＤＥＣ＿ＳＴＣを基準として符号化データに含まれているＰＴＳと比較し、そのＰＴＳのタイミングで各フレーム毎の復号処理を行なうものである。
【００２７】
ＰＣＲ抽出部２２は、受信信号からＰＣＲを抽出し、抽出したＰＣＲをＤＥＣ＿ＳＴＣカウンタ２３、周波数偏差判定部２６及びＰＬＬ２４に与えるものである。
【００２８】
周波数偏差判定部２６は、ＰＣＲ抽出部２２からＰＣＲを受け取り、またＤＥＣ＿ＳＴＣカウンタ２３からＤＥＣ＿ＳＴＣを受け取り、ＰＣＲとＤＥＣ＿ＳＴＣとに基づいて周波数変化の度合いを算出し、その算出した周波数変化の度合い変化から符号化装置への映像入力信号の切り替わりを判定するものである。すなわち、符号化装置１０ａに入力する映像入力信号の切替時に映像入力信号の周波数が変化した場合、周波数偏差判定部２６が周波数変化を検出したとき、映像入力信号の切り替わりと判断する。
【００２９】
ＤＥＣ＿ＣＬＫカウンタ２３は、ＰＣＲ抽出部２２からＰＣＲを取り込みにより、発振器２５からのＤＥＣ＿ＣＬＫをカウントアップするカウンタである。また、ＤＥＣ＿ＣＬＫカウンタ２３は、カウントアップしたカウンタ値をＤＥＣ＿ＳＴＣとして符号部２１、周波数偏差判定部２６及びＰＬＬ２４に与えるものである。
【００３０】
ＰＬＬ２４は、ＰＣＲ抽出部２２からＰＣＲを受け取り、またＤＥＣ＿ＳＴＣカウンタ２３からＤＥＣ＿ＳＴＣを受け取り、ＰＣＲとＤＥＣ＿ＳＴＣとを比較し、その差に基づいてＤＥＣ＿ＣＬＫの周波数を制御するものである。
【００３１】
発振器２５は、ＰＬＬ２４からの周波数制御を受けて、周波数位相を調整したＤＥＣ＿ＣＬＫを復号部２１及びＤＥＣ＿ＳＴＣカウンタ２３に与えるものである。
【００３２】
（Ａ−２）第１の実施形態の動作
次に、本実施形態の符号化装置１０Ａ及び復号装置２０Ａの動作について説明する。
【００３３】
まず、符号化装置１０Ａの動作について説明する。まず、映像入力信号が符号化部１１及び同期信号抽出部１２に与えられる。
【００３４】
映像入力信号が同期信号抽出部１２に与えられると、映像入力信号に含まれている同期信号が同期信号抽出部１２により抽出されて、その同期信号が符号化部１１及びＰＬＬ１３に与えられる。
【００３５】
同期信号がＰＬＬ１３に与えられると、ＰＬＬ１３が発振器１４に周波数制御を行ない、発振器１４がＥＮＣ＿ＣＬＫを内部同期信号生成部１６に発振する。そして、内部同期信号生成部１６は、内部同期信号をＰＬＬ１３に与える。
【００３６】
そして、ＰＬＬ１３は、映像入力信号の同期信号と内部同期信号との周波数位相差により、ＥＮＣ＿ＣＬＫの周波数が、映像入力信号に同期した周波数（例えば、ＭＰＥＧ方式の場合、２７ＭＨｚ）となるように周波数制御を行なう。
【００３７】
これにより、映像入力信号に同期したＥＮＣ＿ＣＬＫが、発振器１４から符号化部１１及びＥＮＣ＿ＳＴＣカウンタ１５に与えられる。
【００３８】
ＥＮＣ＿ＣＬＫがＥＮＣ＿ＣＬＫカウンタ１５に与えられると、ＥＮＣ＿ＳＴＣカウンタ１５は、ＥＮＣ＿ＣＬＫをカウントアップする。これにより、単位時間のＥＮＣ＿ＣＬＫの増分を一定とする関係を導き出すことができる。そして、ＥＮＣ＿ＳＴＣカウンタ１５は、そのカウンタ値（ＥＮＣ＿ＣＬＫのカウント値）をＥＮＣ＿ＳＴＣとして符号化部１１に与える。これにより、ＥＮＣ＿ＳＴＣは単位時間当たりで一定の増分を示すものとすることができる。
【００３９】
一方、符号化部１１では、映像入力信号が入力すると、同期信号抽出部１２からの同期信号に基づいて各フレーム毎の符号化処理を行ない、発振器１４からＥＮＣ＿ＣＬＫに同期した符号化データを生成し、その符号化データを出力する。
【００４０】
符号化部１１は、ＥＮＣ＿ＳＴＣカウンタ１５から一定の時間間隔でＥＮＣ＿ＳＴＣを受け取り、そのＥＮＣ＿ＳＴＣを元にＰＴＳを算出し、その算出したＰＴＳを符号化データの各フレームに付与する。つまり、各フレーム周期で一定の増分を示すＰＴＳを算出することができ、そのＰＴＳを符号化データに付与することができる。
【００４１】
また、符号化部１１は、ＥＮＣ＿ＳＴＣカウンタ１５からＥＮＣ＿ＳＴＣを受け取ると、そのＥＮＣ＿ＳＴＣをＰＣＲとして出力する。
【００４２】
ここで、図３は、符号化部１１が出力するＰＣＲについてのカウンタ値と時間との間の変化関係を説明する説明図である。
【００４３】
図３に示すように、符号化部１１から出力されるＰＣＲは、ＥＮＣ＿ＳＴＣカウンタ１５によるＥＮＣ＿ＣＬＫのカウンタ値であり、単位時間毎でカウントアップするものであるから、時間とカウンタ値とが一定の割合で増加する関係になる。
【００４４】
次に、復号装置２０ａの動作について説明する。
【００４５】
まず、受信信号が復号部２１及びＰＣＲ抽出部２２に与えられる。受信信号がＰＣＲ抽出部２２に与えられると、受信信号に含まれているＰＣＲがＰＣＲ抽出部２２に抽出され、その抽出されたＰＣＲがＤＥＣ＿ＳＴＣカウンタ２３にロードされ、またＰＣＲがＰＬＬ２４及び周波数偏差判定部２６に与えられる。
【００４６】
ＰＣＲがＤＥＣ＿ＳＴＣカウンタ２３にロードされると、ＤＥＣ＿ＳＴＣがＰＬＬ２４に与えられ、ＰＬＬ２４において、ＰＣＲとＤＥＣ＿ＳＴＣとの大きさを比較し、その比較結果に応じてＤＥＣ＿ＣＬＫの周波数を制御する。これにより、発振器２５は、ＰＬＬ２４により周波数制御されたＤＥＣ＿ＣＬＫが発振される。
【００４７】
ここで、ＰＬＬ２４による周波数制御について、ＰＣＲとＤＥＣ＿ＳＴＣとの関係と、それに応じて制御する周波数の関係を示す図４を参照して、説明する。図４（Ａ）は、ＰＬＬ２４が比較するＰＣＲとＤＥＣ＿ＳＴＣとの関係である。図４（Ｂ）は、ＰＬＬ２４がＤＥＣ＿ＣＬＫの周波数を制御する様子を示す。なお、実線がＰＣＲ及びＥＮＣ＿ＣＬＫであり、破線がＤＥＣ＿ＳＴＣ及びＤＥＣ＿ＣＬＫである。
【００４８】
図４（Ａ）において、ＰＣＲは、上述したように一定時間で一定カウント値が増加していく関係にある。ＰＬＬ２４は、ＤＥＣ＿ＳＴＣとＰＣＲとを比較し、ＰＣＲがＤＥＣ＿ＳＴＣより大きいとき（ＰＣＲ＞ＤＥＣ＿ＳＴＣ）、ＤＥＣ＿ＣＬＫの周波数を早くするよう制御し、ＰＣＲがＤＥＣ＿ＳＴＣよりも小さいとき（ＰＣＲ＜ＤＥＣ＿ＳＴＣ）、ＤＥＣ＿ＣＬＫの周波数を遅くするよう制御する。
【００４９】
従って、図４（Ａ）において、同一時刻でＤＥＣ＿ＳＴＣがＰＣＲよりカウンタ値が大きいときは、図４（Ｂ）に示すように周波数を早くするように、ＰＬＬ２４は周波数制御し、カウンタ値が小さいときは周波数を遅くするように周波数制御していく。これにより、ＤＥＣ＿ＳＴＣのカウンタ値が徐々にＰＣＲのカウンタ値に収束していき、ＤＥＣ＿ＣＬＫの周波数制御値も徐々に一定値になっていく。
【００５０】
また、周波数偏差判定部２６には、ＰＣＲ抽出部２２からＰＣＲが与えられ、またＤＥＣ＿ＳＴＣカウンタ２３からＤＥＣ＿ＳＴＣが与えられ、ＰＣＲとＤＥＣ＿ＳＴＣに基づいて周波数変化の度合いを算出する。
【００５１】
ここで周波数変化の度合いの算出について説明する。周波数偏差判定部２６は、ＰＣＲ受信毎に次のようにして周波数変化の度合いを算出する。
【００５２】
｜｛（今回ＰＣＲ）−（前回ＰＣＲ）｝
−｛（今回ＤＥＣ＿ＳＴＣ）−（前回ＤＥＣ＿ＳＴＣ）｝｜…（１）
つまり、周波数偏差判定部２６は、ＰＣＲを受け取ると、今回のＰＣＲと前回のＰＣＲとの増分を求める。また、今回のＤＥＣ＿ＳＴＣと前回のＤＥＣ＿ＳＴＣとの増分を求める。そして、周波数偏差判定部２６は、ＰＣＲの増分とＤＥＣ＿ＳＴＣの増分との減算結果の絶対値を求めて、周波数変化の度合いを算出する。
【００５３】
例えば、ＰＣＲ間隔（ＰＣＲの受信タイミング）が１００ｍｓｅｃであり、上記式（１）による減算結果が５であるとき、約２ｐｐｍの変動があったことになる。
【００５４】
このように、周波数偏差判定部２６が周波数変化の度合いを算出して、周波数変化を検出することにより、符号化装置への映像入力信号が切り替わったことを判定することができる。
【００５５】
（Ａ−３）第１の実施形態の効果
以上、本実施形態によれば、符号化装置がＥＮＣ＿ＣＬＫのカウンタ値に基づくＰＣＲを送出し、復号装置がＰＣＲと再生したＤＥＣ＿ＳＴＣとに基づいて周波数変化の度合いを検出することで、符号化装置への映像入力信号の切り替わりを判定することができる。
【００５６】
これにより、周波数が異なる映像入力信号に切り替わったタイミングを検出することができる。
【００５７】
（Ｂ）第２の実施形態
次に、本発明の符号化装置、復号装置及び映像伝送システムの第２の実施形態について図面を参照して説明する。
【００５８】
（Ｂ−１）第２の実施形態の構成
図５は、第２の実施形態の符号化装置の内部構成を示すブロック図である。また、図６は、第２の実施形態の復号装置の内部構成を示すブロック図である。
【００５９】
図５において、符号化装置１０Ｂは、符号化部１１、同期信号抽出部１２、ＰＬＬ１３、発振器１４、ＥＮＣ＿ＳＴＣカウンタ１５、内部同期信号生成部１６を少なくとも備える。
【００６０】
また、図６において、復号装置２０Ｂは、復号部２１、ＰＣＲ抽出部２２、ＤＥＣ＿ＳＴＣカウンタ２３、ＰＬＬ２４、発振器２５、ＰＴＳ抽出部２７、位相差検出部２８を少なくとも備える。
【００６１】
なお、図５及び図６において、第１の実施形態で説明した同一・対応する構成要件については、対応する符号を付して示す。また、第１の実施形態で説明した対応する構成要件の詳細な説明は省略する。
【００６２】
まず、符号化装置１０Ｂの内部構成について説明する。符号化装置１０Ｂは、第１の実施形態で説明した符号化装置１０Ａの内部構成に対応するので、ここでの詳細な説明は省略する。
【００６３】
次に、復号装置２０Ｂの内部構成について説明する。ＰＣＲ抽出部２２は、第１の実施形態と同様に、受信信号からＰＣＲを抽出するものである。そして、ＰＣＲ抽出部２２は、抽出したＰＣＲをＤＥＣ＿ＳＴＣカウンタ２３及びＰＬＬ２４に与えるものである。
【００６４】
ＰＴＳ抽出部２７は、符号化データに含まれている各フレーム毎のＰＴＳを抽出し、その抽出したＰＴＳを位相差検出部２８に与えるものである。
【００６５】
位相差検出部２８は、ＰＴＳ抽出部２７から各フレーム毎のＰＴＳを受け取り、各ＰＴＳを受け取る毎のＰＴＳの増分により位相差変化を判定するものである。
【００６６】
ＤＥＣ＿ＳＴＣカウンタ２３は、第１の実施形態と同様に、ＰＣＲをロードし、発振器２５からのＤＥＣ＿ＣＬＫをカウントアップするものである。そして、ＤＥＣ＿ＳＴＣカウンタ２３は、ＤＥＣ＿ＣＬＫのカウント値であるＤＥＣ＿ＳＴＣをＰＬＬ２４に与えるものである。
【００６７】
ＰＬＬ２４及び発振器２５は、第１の実施形態と同様なので詳細な説明は省略する。
【００６８】
（Ｂ−２）第２の実施形態の動作
まず、符号化装置１０Ｂにおける動作について説明する。映像入力信号が同期信号抽出部に入力すると、映像入力信号に含まれている同期信号が、同期信号抽出部１２により抽出される。
【００６９】
そして、第１の実施形態の説明と同様にして、内部同期信号生成部１６により内部同期信号が生成されて、ＰＬＬ１３により映像入力信号の同期信号と内部同期信号とが比較されて周波数制御がなされて、発振器１４から周波数制御されたＥＮＣ＿ＣＬＫが発振される。また、発振されたＥＮＣ＿ＣＬＫがＥＮＣ＿ＳＴＣカウンタ１５に与えられると、ＥＮＣ＿ＳＴＣカウンタ１５によりカウントアップされて、そのカウント値がＥＮＣ＿ＳＴＣとして符号化部１１に与えられる。
【００７０】
一定周期を持ったＥＮＣ＿ＳＴＣが符号化部１１に与えられると、符号化部１１では、符号化データの１フレーム周期毎に、ＰＴＳを生成し、その生成したＰＴＳを各フレームに付与する。これにより、符号化データの各フレームにＰＴＳを付与することができる。
【００７１】
図７は、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ  Ｓｔａｎｄａｒｄ）方式を採用した映像伝送システムに適用した場合のＰＴＳのカウント値と時間との関係を示す。
【００７２】
ＮＴＳＣ方式を採用した場合の映像信号の１フレーム周期は約３３ｍｓｅｃと規定されているので、図７に示すように、ＰＴＳは、約３３ｍｓｅｃの間隔で符号化データに付与される。従って、ＰＴＳのカウント値と時間とは一定の割合で増加する関係にある。
【００７３】
しかし、符号化装置１０Ｂに入力される映像入力信号が、位相差の異なる映像入力信号に切り替わったとき、ＰＴＳの出力タイミングとその増分が約３３ｍｓｅｃでなくなる。このＰＴＳの変化を検知することで、位相差が異なる映像入力信号への切り替え時期を検知できる。
【００７４】
次に、復号装置２０Ｂの動作について説明する。なお、第１の実施形態で説明した基本的な動作の説明は省略する。
【００７５】
受信信号が復号装置２０Ｂに与えられると、符号化データの各フレーム毎に含まれているＰＴＳが、ＰＴＳ抽出部２７により抽出される。
【００７６】
ＰＴＳ抽出部２７によりＰＴＳが抽出されると、その抽出されたＰＴＳが位相検出部２８に与えられる。
【００７７】
位相検出部２８では、ＰＴＳの受信毎に、次のような方法によって、映像信号の位相差変化の度合い算出し、その算出結果に基づいて位相差変化を検出する。
【００７８】
｜（今回のＰＴＳ）−（前回のＰＴＳ）｜  …（２）
例えば、上述したＮＴＳＣ方式を採用した映像伝送システムに適用した場合、１フレーム周期（約３３ｍｓｅｃ）でのＰＴＳのカウント値の増分が１５００としたとき、上記式（２）の算出結果が７５０であれば、その算出結果に応じた時間は約１６．５ｍｓｅｃであるから、今回受信したＰＴＳは、位相差０．５フレーム分だけ位相差が生じたことを、位相差検出部２８は検出できる。
【００７９】
これにより、符号化装置１０Ｂに入力する映像入力信号が切り替わったことを判定することができる。
【００８０】
（Ｂ−３）第２の実施形態の効果
以上、本実施形態によれば、各フレーム毎に挿入されるＰＴＳのカウンタ値の時間的な変化に基づいて、映像入力信号の位相差変化の度合いを検出することで、符号化装置への映像入力信号の切り替わりを判定することができる。
【００８１】
これにより、位相が異なる映像入力信号に切り替わったタイミングを検出することができる。
【００８２】
（Ｃ）他の実施形態
（Ｃ−１）上述した第１及び第２の実施形態では、ＰＣＲとＰＴＳを用いる映像符号化装置及び映像復号装置に適用した例を説明したが、ＰＣＲとＰＴＳに順ずる情報を伝送すれば、符号化又は復号しない(非圧縮)映像伝送装置にも適用可能である。
【００８３】
（Ｃ−２）上述した第１及び第２の実施形態では、映像伝送システムにおける復号装置に適用した場合について説明したが、少なくとも映像信号を復号することができれば、例えば、映像と音声とを対応付けて伝送する映像・音声伝送システムの復号装置にも適用可能である。
【図面の簡単な説明】
【００８４】
【図１】第１の実施形態の符号化装置の内部構成を示すブロック図である。
【図２】第１の実施形態の復号装置の内部構成を示すブロック図である。
【図３】第１の実施形態のＰＣＲの時間的なカウント値の変化を示す図である。
【図４】第１の実施形態のＰＣＲの時間的なカウント値の変化を示す図である。
【図５】第２の実施形態の符号化装置の内部構成を示すブロック図である。
【図６】第２の実施形態の復号装置の内部構成を示すブロック図である。
【図７】第２の実施形態のＰＴＳの時間的なカウント値の変化を示す図である。
【符号の説明】
【００８５】
１０Ａ、１０Ｂ…符号化装置、１１…符号化部、１２…同期信号抽出部、
１３…ＰＬＬ、１４…発振部、１５…ＥＮＣ＿ＳＴＣカウンタ、
１６…内部同期信号生成部、２０Ａ、２０Ｂ…復号装置、２１…復号部、
２２…ＰＣＲ抽出部、２３…ＤＥＣ＿ＳＴＣカウンタ、２４…ＰＬＬ、
２５…発振器、２６…周波数偏差判定部、２７…ＰＴＳ抽出部、
２８…位相差検出部。
【図１】
2006128823.tif 000003
【図２】
2006128823.tif 000004
【図３】
2006128823.tif 000005
【図４】
2006128823.tif 000006
【図５】
2006128823.tif 000007
【図６】
2006128823.tif 000008
【図７】
2006128823.tif 000009